(57)【要約】  本願は無線通信の方法、ネットワーク装置及び端末装置を提供しており、ネットワーク装置がタイムスロットにおいてＰＤＣＣＨを伝送する第一リソースの時間領域位置を構成でき、それにより、端末装置が第一リソースにおいてＰＤＣＣＨを正確に受信でき、さらに、異なるＰＤＣＣＨ伝送遅延要件を満たす。前記方法は、端末装置に第一構成情報を送信し、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられることと、前記第一リソースにおいて前記端末装置に前記物理下り制御チャネルを送信することとを含む。
2020534712.tif 000002
【特許請求の範囲】
【請求項１】
無線通信の方法であって、
端末装置に第一構成情報を送信し、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられることと、
前記第一リソースにおいて前記端末装置に前記物理下り制御チャネルを送信することとを含むことを特徴とする、前記無線通信の方法。
【請求項２】
前記第一構成情報が第一インジケータを含み、前記第一インジケータが、前記各タイムスロット内の前記第一リソースの数量Ｎを示すことに用いられ、Ｎ≧１とすることを特徴とする
請求項１に記載の方法。
【請求項３】
前記第一構成情報がさらに第二インジケータを含み、前記第二インジケータが、前記各タイムスロット内のＮ個の前記第一リソースの時間領域位置を示すことに用いられることを特徴とする
請求項２に記載の方法。
【請求項４】
前記第一構成情報が第三インジケータを含み、前記第三インジケータが、前記各タイムスロット内のすべての第一リソースの時間領域位置セットを示すことに用いられることを特徴とする
請求項１に記載の方法。
【請求項５】
複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含むことを特徴とする
請求項１〜４のいずれか１項に記載の方法。
【請求項６】
前記方法はさらに、
前記端末装置に第二構成情報を送信し、前記第二構成情報が、前記複数の時間領域ユニットにおける各時間領域ユニットの時間領域位置を示すことを含むことを特徴とする
請求項５に記載の方法。
【請求項７】
前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報であることを特徴とする
請求項６に記載の方法
【請求項８】
前記第一構成情報がＲＲＣシグナリング、システム情報、ＤＣＩ及びＭＡＣ  ＣＥのうちのいずれか１つの情報であることを特徴とする
請求項１〜７のいずれか１項に記載の方法
【請求項９】
前記方法はさらに、
前記端末装置に第三構成情報を送信し、前記第三構成情報が、前記第一リソースの時間領域長を示すことに用いられることを含むことを特徴とする
請求項１〜８のいずれか１項に記載の方法。
【請求項１０】
前記第三構成情報がＲＲＣシグナリング、システム情報、ＤＣＩ及びＭＡＣ  ＣＥのうちのいずれか１つの情報であることを特徴とする
請求項９に記載の方法。
【請求項１１】
前記第一リソースが、物理下り制御チャネルを伝送する制御リソースセット又はサーチ空間であることを特徴とする
請求項１〜１０のいずれか１項に記載の方法。
【請求項１２】
無線通信の方法であって、
ネットワーク装置によって送信された第一構成情報を受信し、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられることと、
前記第一リソースにおいて前記ネットワーク装置により伝送された前記物理下り制御チャネルをモニタリングすることとを含むことを特徴とする、前記無線通信の方法。
【請求項１３】
前記第一構成情報が第一インジケータを含み、前記第一インジケータが、前記各タイムスロット内の前記第一リソースの数量Ｎを示すことに用いられ、Ｎ≧１とすることを特徴とする
請求項１２に記載の方法。
【請求項１４】
前記第一構成情報がさらに第二インジケータを含み、前記第二インジケータが、前記各タイムスロット内のＮ個の前記第一リソースの時間領域位置を示すことに用いられることを特徴とする
請求項１３に記載の方法。
【請求項１５】
前記第一構成情報が第三インジケータを含み、前記第三インジケータが、前記各タイムスロット内のすべての第一リソースの時間領域位置セットを示すことに用いられることを特徴とする
請求項１２に記載の方法。
【請求項１６】
複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含むことを特徴とする
請求項１２〜１５のいずれか１項に記載の方法。
【請求項１７】
前記方法はさらに、
前記ネットワーク装置により送信された第二構成情報を受信し、前記第二構成情報が、前記複数の時間領域ユニットにおける各時間領域ユニットの時間領域位置を示すことと、
前記第一構成情報及び／又は前記第二構成情報に基づき、前記第一リソースの時間領域位置を決定することとを含むことを特徴とする
請求項１６に記載の方法。
【請求項１８】
前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報であることを特徴とする
請求項１７に記載の方法
【請求項１９】
前記第一構成情報がＲＲＣシグナリング、システム情報、ＤＣＩ及びＭＡＣ  ＣＥのうちのいずれか１つの情報であることを特徴とする
請求項１２〜１８のいずれか１項に記載の方法。
【請求項２０】
前記方法はさらに、
前記ネットワーク装置により送信された第三構成情報を受信し、前記第三構成情報が、前記第一リソースの時間領域長を示すことに用いられることと、
前記第三構成情報、及び前記第一構成情報及び／又は前記第二構成情報に基づき、前記第一リソースの時間領域位置を決定することとを含むことを特徴とする
請求項１２〜１９のいずれか１項に記載の方法。
【請求項２１】
前記第三構成情報がＲＲＣシグナリング、システム情報、ＤＣＩ及びＭＡＣ  ＣＥのうちのいずれか１つの情報であることを特徴とする
請求項２０に記載の方法。
【請求項２２】
前記第一リソースが、物理下り制御チャネルを伝送する制御リソースセット又はサーチ空間であることを特徴とする
請求項１２〜２１のいずれか１項に記載の方法。
【請求項２３】
ネットワーク装置であって、
端末装置に第一構成情報を送信するように構成され、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられる送信ユニットを含み、
前記送信ユニットが、さらに前記第一リソースにおいて前記端末装置に前記物理下り制御チャネルを送信するように構成されることを特徴とする、前記ネットワーク装置。
【請求項２４】
前記第一構成情報が第一インジケータを含み、前記第一インジケータが、前記各タイムスロット内の前記第一リソースの数量Ｎを示すことに用いられ、Ｎ≧１とすることを特徴とする
請求項２３に記載のネットワーク装置。
【請求項２５】
前記第一構成情報がさらに第二インジケータを含み、前記第二インジケータが、前記各タイムスロット内のＮ個の前記第一リソースの時間領域位置を示すことに用いられることを特徴とする
請求項２４に記載のネットワーク装置。
【請求項２６】
前記第一構成情報が第三インジケータを含み、前記第三インジケータが、前記各タイムスロット内のすべての第一リソースの時間領域位置セットを示すことに用いられることを特徴とする
請求項２３に記載のネットワーク装置。
【請求項２７】
複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含むことを特徴とする
請求項２３〜２６のいずれか１項に記載のネットワーク装置。
【請求項２８】
前記送信ユニットが、さらに前記端末装置に第二構成情報を送信するように構成され、前記第二構成情報が、前記複数の時間領域ユニットにおける各時間領域ユニットの時間領域位置を示すことを特徴とする
請求項２７に記載のネットワーク装置。
【請求項２９】
前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報であることを特徴とする
請求項２８に記載のネットワーク装置。
【請求項３０】
前記第一構成情報がＲＲＣシグナリング、システム情報、ＤＣＩ及びＭＡＣ  ＣＥのうちのいずれか１つの情報であることを特徴とする
請求項２３〜２９のいずれか１項に記載のネットワーク装置。
【請求項３１】
前記送信ユニットが、さらに前記端末装置に第三構成情報を送信するように構成され、前記第三構成情報が、前記第一リソースの時間領域長を示すことに用いられることを特徴とする
請求項２３〜３０のいずれか１項に記載のネットワーク装置。
【請求項３２】
前記第三構成情報がＲＲＣシグナリング、システム情報、ＤＣＩ及びＭＡＣ  ＣＥのうちのいずれか１つの情報であることを特徴とする
請求項３１に記載のネットワーク装置。
【請求項３３】
前記第一リソースが、物理下り制御チャネルを伝送する制御リソースセット又はサーチ空間であることを特徴とする
請求項２３〜３２のいずれか１項に記載のネットワーク装置。
【請求項３４】
端末装置であって、
ネットワーク装置によって送信された第一構成情報を受信するように構成され、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられる受信ユニットを含み、
前記受信ユニットが、さらに前記第一リソースにおいて前記ネットワーク装置により伝送された前記物理下り制御チャネルをモニタリングするように構成されることを特徴とする、前記端末装置。
【請求項３５】
前記第一構成情報が第一インジケータを含み、前記第一インジケータが、前記各タイムスロット内の前記第一リソースの数量Ｎを示すことに用いられ、Ｎ≧１とすることを特徴とする
請求項３４に記載の端末装置。
【請求項３６】
前記第一構成情報がさらに第二インジケータを含み、前記第二インジケータが、前記各タイムスロット内のＮ個の前記第一リソースの時間領域位置を示すことに用いられることを特徴とする
請求項３５に記載の端末装置。
【請求項３７】
前記第一構成情報が第三インジケータを含み、前記第三インジケータが、前記各タイムスロット内のすべての第一リソースの時間領域位置セットを示すことに用いられることを特徴とする
請求項３４に記載の端末装置
【請求項３８】
複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含むことを特徴とする
請求項３４〜３７のいずれか１項に記載の端末装置
【請求項３９】
前記端末装置はさらに、
さらに前記ネットワーク装置により送信された第二構成情報を受信するように構成され、前記第二構成情報が、前記複数の時間領域ユニットにおける各時間領域ユニットの時間領域位置を示す前記受信ユニットと、
前記第一構成情報及び／又は前記第二構成情報に基づき、前記第一リソースの時間領域位置を決定するように構成される処理ユニットとを含むことを特徴とする
請求項３８に記載の端末装置
【請求項４０】
前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報であることを特徴とする
請求項３９に記載の端末装置。
【請求項４１】
前記第一構成情報がＲＲＣシグナリング、システム情報、ＤＣＩ及びＭＡＣ  ＣＥのうちのいずれか１つの情報であることを特徴とする
請求項３４〜４０のいずれか１項に記載の端末装置。
【請求項４２】
前記端末装置はさらに、
さらに前記ネットワーク装置により送信された第三構成情報を受信するように構成され、前記第三構成情報が、前記第一リソースの時間領域長を示すことに用いられる前記受信ユニットと、
前記第三構成情報、及び前記第一構成情報及び／又は前記第二構成情報に基づき、前記第一リソースの時間領域位置を決定するように構成される処理ユニットとを含むことを特徴とする
請求項３４〜４１のいずれか１項に記載の端末装置。
【請求項４３】
前記第三構成情報がＲＲＣシグナリング、システム情報、ＤＣＩ及びＭＡＣ  ＣＥのうちのいずれか１つの情報であることを特徴とする
請求項４２に記載の端末装置。
【請求項４４】
前記第一リソースが、物理下り制御チャネルを伝送する制御リソースセット又はサーチ空間であることを特徴とする
請求項３４〜４３のいずれか１項に記載の端末装置。
【発明の詳細な説明】
【技術分野】
【０００１】
本願は通信分野に関し、且つより具体的に、無線通信の方法、ネットワーク装置及び端末装置に関する。
【背景技術】
【０００２】
現在、ロングタームエボリューション（ＬＴＥ：Ｌｏｎｇ  Ｔｅｒｍ  Ｅｖｏｌｕｔｉｏｎ）システムにおいて、端末装置は物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）をモニタリングする周期が固定されており、すなわち各サブフレームを一回モニタリングし、しかし、新しい無線（ＮＲ：Ｎｅｗ  Ｒａｄｉｏ）システムにおいて、より小さい伝送遅延を実現するために、ＰＤＣＣＨに対するモニタリングにより高い要件を求められており、固定している周期を用いてＰＤＣＣＨをモニタリングすると、ますます高くなるＰＤＣＣＨに対するモニタリング遅延の要件を満たすことができず、従って、どのようにＰＤＣＣＨモニタリングの方式を柔軟に構成し、異なる伝送遅延要件を満たすかは、早急な解決の待たれる課題になる。
【発明の概要】
【発明が解決しようとする課題】
【０００３】
本願の実施例は無線通信の方法、ネットワーク装置及び端末装置を提供しており、ネットワーク装置がタイムスロットにおいてＰＤＣＣＨを伝送する第一リソースの時間領域位置を構成でき、それにより、端末装置が第一リソースにおいてＰＤＣＣＨを正確に受信でき、さらに、異なるＰＤＣＣＨ伝送遅延要件を満たす。
【課題を解決するための手段】
【０００４】
第一様態では、本願の実施例は無線通信の方法を提供しており、前記方法は、
端末装置に第一構成情報を送信し、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられることと、
前記第一リソースにおいて前記端末装置に前記物理下り制御チャネルを送信することとを含む。
【０００５】
好ましくは、前記第一構成情報に示される各タイムスロットにおける時間領域位置は第一リソースの時間領域開始位置であってもよい。
【０００６】
従って、本願の実施例の無線通信の方法において、ネットワーク装置がタイムスロット内にＰＤＣＣＨを伝送するための第一リソースの時間領域位置を構成し、且つ第一リソースにおいて端末装置にＰＤＣＣＨを送信し、それにより、端末装置が第一リソースにおいてＰＤＣＣＨを正確に受信でき、さらに、異なるＰＤＣＣＨ伝送遅延要件を満たす。
【０００７】
好ましくは、第一様態に係わる実現方式では、前記第一構成情報が第一インジケータを含み、前記第一インジケータが、前記各タイムスロット内の前記第一リソースの数量Ｎを示すことに用いられ、Ｎ≧１とする。
【０００８】
好ましくは、第一様態に係わる実現方式では、前記第一構成情報はさらに第二インジケータを含み、前記第二インジケータが、前記各タイムスロット内のＮ個の前記第一リソースの時間領域位置を示すことに用いられる。
【０００９】
好ましくは、第一様態に係わる実現方式では、前記第一構成情報が第三インジケータを含み、前記第三インジケータが、前記各タイムスロット内のすべての第一リソースの時間領域位置セットを示すことに用いられる。
【００１０】
好ましくは、第一様態に係わる実現方式では、複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含む。
【００１１】
好ましくは、第一様態に係わる実現方式では、前記方法はさらに、
前記端末装置に第二構成情報を送信し、前記第二構成情報が、前記複数の時間領域ユニットにおける各時間領域ユニットの時間領域位置を示すことを含む。
【００１２】
好ましくは、第一様態に係わる実現方式では、前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報である。
【００１３】
好ましくは、第一様態に係わる実現方式では、前記第一構成情報がＲＲＣシグナリング、システム情報、ＤＣＩ及びＭＡＣ  ＣＥのうちのいずれか１つの情報である。
【００１４】
好ましくは、第一様態に係わる実現方式では、前記方法はさらに、
前記端末装置に第三構成情報を送信し、前記第三構成情報が、前記第一リソースの時間領域長を示すことに用いられることを含む。
【００１５】
好ましくは、第一様態に係わる実現方式では、前記第三構成情報がＲＲＣシグナリング、システム情報、ＤＣＩ及びＭＡＣ  ＣＥのうちのいずれか１つの情報である。
【００１６】
好ましくは、第一様態に係わる実現方式では、前記第一リソースが、物理下り制御チャネルを伝送する制御リソースセット又はサーチ空間である。
【００１７】
第二様態では、本願の実施例は無線通信の方法を提供しており、前記方法は、
ネットワーク装置によって送信された第一構成情報を受信し、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられることと、
前記第一リソースにおいて前記ネットワーク装置により伝送された前記物理下り制御チャネルをモニタリングすることとを含む。
【００１８】
好ましくは、前記第一構成情報に示される各タイムスロットにおける時間領域位置は第一リソースの時間領域開始位置であってもよい。
【００１９】
従って、本願の実施例の無線通信の方法において、ネットワーク装置がタイムスロット内にＰＤＣＣＨを伝送するための第一リソースの時間領域位置を構成し、且つ第一リソースにおいて端末装置にＰＤＣＣＨを送信し、それにより、端末装置が第一リソースにおいてＰＤＣＣＨを正確に受信でき、さらに、異なるＰＤＣＣＨ伝送遅延要件を満たす。
【００２０】
好ましくは、第二様態に係わる実現方式では、前記第一構成情報が第一インジケータを含み、前記第一インジケータが、前記各タイムスロット内の前記第一リソースの数量Ｎを示すことに用いられ、Ｎ≧１とする。
【００２１】
好ましくは、第二様態に係わる実現方式では、前記第一構成情報はさらに第二インジケータを含み、前記第二インジケータが、前記各タイムスロット内のＮ個の前記第一リソースの時間領域位置を示すことに用いられる。
【００２２】
好ましくは、第二様態に係わる実現方式では、前記第一構成情報が第三インジケータを含み、前記第三インジケータが、前記各タイムスロット内のすべての第一リソースの時間領域位置セットを示すことに用いられる。
【００２３】
好ましくは、第二様態に係わる実現方式では、複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含む。
【００２４】
好ましくは、第二様態に係わる実現方式では、前記方法はさらに、
前記ネットワーク装置により送信された第二構成情報を受信し、前記第二構成情報が、前記複数の時間領域ユニットにおける各時間領域ユニットの時間領域位置を示すことと、
前記第一構成情報及び／又は前記第二構成情報に基づき、前記第一リソースの時間領域位置を決定することとを含む。
【００２５】
好ましくは、第二様態に係わる実現方式では、前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報である。
【００２６】
好ましくは、第二様態に係わる実現方式では、前記第一構成情報がＲＲＣシグナリング、システム情報、ＤＣＩ及びＭＡＣ  ＣＥのうちのいずれか１つの情報である。
【００２７】
好ましくは、第二様態に係わる実現方式では、前記方法はさらに、
前記ネットワーク装置により送信された第三構成情報を受信し、前記第三構成情報が、前記第一リソースの時間領域長を示すことに用いられることと、
前記第三構成情報、及び前記第一構成情報及び／又は前記第二構成情報に基づき、前記第一リソースの時間領域位置を決定することとを含む。
【００２８】
好ましくは、第二様態に係わる実現方式では、前記第三構成情報がＲＲＣシグナリング、システム情報、ＤＣＩ及びＭＡＣ  ＣＥのうちのいずれか１つの情報である。
【００２９】
好ましくは、第二様態に係わる実現方式では、前記第一リソースが、物理下り制御チャネルを伝送する制御リソースセット又はサーチ空間である。
【００３０】
第三様態では、本願の実施例はネットワーク装置を提供しており、第一様態又は第一様態のいずれか１つの好適な実現方式における方法のモジュール又はユニットを実行できる。
【００３１】
第四様態では、本願の実施例は端末装置を提供しており、第二様態又は第二様態のいずれか１つの好適な実現方式における方法のモジュール又はユニットを実行できる。
【００３２】
第五様態では、ネットワーク装置を提供しており、前記ネットワーク装置がプロセッサ、メモリ及び通信インタフェースを含む。プロセッサ及びメモリが通信インタフェースに接続される。メモリが命令を記憶するように構成され、プロセッサが前記命令を実行するように構成され、通信インタフェースがプロセッサの制御で他のネットワークエレメントと通信するように構成される。前記プロセッサが前記メモリに記憶される命令を実行する時、前記実行により、前記プロセッサが第一様態又は第一様態のいずれか可能な実現方式における方法を実行する。
【００３３】
第六様態では、端末装置を提供しており、前記端末装置がプロセッサ、メモリ及び通信インタフェースを含む。プロセッサ及びメモリが通信インタフェースに接続される。メモリが命令を記憶するように構成され、プロセッサが前記命令を実行するように構成され、通信インタフェースがプロセッサの制御で他のネットワークエレメントと通信するように構成される。前記プロセッサが前記メモリに記憶される命令を実行する時、前記実行により、前記プロセッサが第二様態又は第二様態のいずれか可能な実現方式における方法を実行する。
【００３４】
第七様態では、コンピュータ記憶媒体を提供しており、前記コンピュータ記憶媒体にプログラムコードが記憶され、前記プログラムコードは上記第一様態又は第一様態のいずれか１つの可能な実現方式における方法の命令を実行するようにコンピュータに指示することに用いられる。
【００３５】
第八様態では、コンピュータ記憶媒体を提供しており、前記コンピュータ記憶媒体にプログラムコードが記憶され、前記プログラムコードは上記第二様態又は第二様態のいずれか１つの可能な実現方式における方法の命令を実行するようにコンピュータに指示することに用いられる。
【００３６】
第九様態では、命令を含むコンピュータプログラム製品を提供しており、それがコンピュータにおいて実行される時、コンピュータが上記各様態に記載の方法を実行する。
【図面の簡単な説明】
【００３７】
【図１】図１は本願の実施例が適用した無線通信システムを示す。
【図２】図２は本願の実施例に係わる無線通信の方法の例示的なフローチャートである。
【図３】図３は本願の実施例に係わる第一リソースの時間領域位置分布模式図である。
【図４】図４は本願の実施例に係わる別の第一リソースの時間領域位置分布模式図である。
【図５】図５は本願の実施例に係わるさらに別の第一リソースの時間領域位置分布模式図である。
【図６】図６は本願の実施例に係わるさらに別の第一リソースの時間領域位置分布模式図である。
【図７】図７は本願の実施例に係わる別の無線通信の方法の例示的なフローチャートである。
【図８】図８は本願の実施例に係わるネットワーク装置の例示的なブロック図である。
【図９】図９は本願の実施例に係わる端末装置の例示的なブロック図である。
【図１０】図１０は本願の実施例が提供した無線通信の装置の例示的なブロック図を示す。
【図１１】図１１は本願の実施例に係わるシステムチップの例示的な構造図である。
【発明を実施するための形態】
【００３８】
以下では本願の実施例における図面を参照しながら、本願の実施例における技術案を明らかで、完全に説明する。
【００３９】
本願の実施例の技術案が各種の通信システム、たとえば：モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００４０】
図１は本願の実施例が適用した無線通信システム１００を示す。前記無線通信システム１００がネットワーク装置１１０を含んでもよい。ネットワーク装置１１０が端末装置と通信する装置であってもよい。ネットワーク装置１１０ｇが特定の地理的領域に通信カバレッジを提供でき、且つ前記カバレッジ領域内に位置する端末装置（たとえばＵＥ）と通信できる。好ましくは、前記ネットワーク装置１１０がＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、さらにＷＣＤＭＡシステムにおける基地局（ＮＢ：ＮｏｄｅＢ）であってもよく、さらにＬＴＥシステムにおける発展型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであり、又は前記ネットワーク装置が中継局、アクセスポイント、車載装置、ウェアラブル装置、将来の５Ｇネットワークにおけるネットワーク側装置又は将来発展する公衆地上波移動体ネットワーク（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００４１】
前記無線通信システム１００がさらにネットワーク装置１１０被覆領域内に位置する少なくとも１つの端末装置１２０を含む。端末装置１２０が移動してもよく、固定してもよく。好ましくは、端末装置１２０がアクセス端末、ユーザー装置（ＵＥ：Ｕｓｅｒ  Ｅｑｕｉｐｍｅｎｔ、）、ユーザーユニット、加入者局、移動局、移動体、遠隔局、遠隔端末、移動装置、ユーザー端末、端末、無線通信装置、ユーザーエージェント又はユーザー装置を指してもよい。アクセス端末が携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する手持ち式デバイス、計算装置又は無線モデムに接続される他の処理装置、車載装置、ウェアラブル装置、将来の５Ｇネットワークにおける端末装置又は将来発展するＰＬＭＮにおける端末装置等であってもよい。
【００４２】
好ましくは、端末装置１２０の間に端末直接接続（Ｄ２Ｄ：Ｄｅｖｉｃｅ  ｔｏ  Ｄｅｖｉｃｅ）通信を行うことができる。
【００４３】
好ましくは、５Ｇシステム又はネットワークがさらに新しい無線（ＮＲ：Ｎｅｗ  Ｒａｄｉｏ）システム又はネットワークと呼称されてもよい。
【００４４】
図１は１つのネットワーク装置及び２つの端末装置を例示的に示し、好ましくは、前記無線通信システム１００が複数のネットワーク装置を含んでもよく、且つ各ネットワーク装置の被覆領域内に他の数量の端末装置を含んでもよく、本願の実施例はそれを制限しない。
【００４５】
好ましくは、前記無線通信システム１００がさらにネットワークコントローラ、移動管理エンティティ等の他のネットワークエンティティを含んでもよく、本願の実施例はそれを制限しない。
【００４６】
本願の実施例では、ネットワーク装置がタイムスロット内に端末装置のために物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を伝送するための第一リソースの時間領域位置を構成でき、端末装置はネットワーク装置が構成した時間領域位置においてネットワーク装置が送信したＰＤＣＣＨを受信する。
【００４７】
好ましくは、前記第一リソースが制御リソースセットであってもよく（ＣＯＲＥＳＥＴ）、さらにサーチ空間（Ｓｅａｒｃｈ  Ｓｐａｃｅ）であってもよい。
【００４８】
好ましくは、ネットワーク装置が第一インジケータを構成し、各タイムスロット内の第一リソースの数量Ｎを示す。
【００４９】
好ましくは、ネットワーク装置が第二インジケータを構成し、各タイムスロット内のＮ個の第一リソースの時間領域位置を示す。
【００５０】
好ましくは、ネットワーク装置が第三インジケータを構成し、各タイムスロット内のすべての第一リソースの時間領域位置セットを示す。
【００５１】
好ましくは、ネットワーク装置がさらに複数の時間領域ユニットにおける各時間領域ユニットの時間領域位置を構成でき、各時間領域ユニットが少なくとも１つのタイムスロットを含む。
【００５２】
好ましくは、ネットワーク装置がさらに第一リソースの時間領域長を示す情報を構成できる。
【００５３】
好ましくは、制御リソースセットが公衆検索リソースセットを含んでもよく、さらにユーザー固有の検索リソースセットを含んでもよい。
【００５４】
本明細書において、本明細書における用語「システム」と「ネットワーク」は常に交換可能に使用されると理解すべきである。本明細書における用語「及び／又は」は、関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００５５】
図２は本願の実施例に係わる無線通信の方法２００の例示的なフローチャートである。図２に示されるように、前記方法２００がネットワーク装置で実行されてもよく、前記ネットワーク装置が図１に示されるネットワーク装置であってもよく、前記方法２００における端末装置が図１に示される端末装置であってもよく、前記方法２００は以下を含む。
【００５６】
２１０において、ネットワーク装置が端末装置に第一構成情報を送信し、前記第一構成情報が、少なくとも１つのタイムスロットにおける各タイムスロット内の第一リソースの時間領域位置を示し、前記第一リソースが物理下り制御チャネルを伝送することに用いられる。
【００５７】
好ましくは、前記第一リソースが物理下り制御チャネルを伝送する制御リソースセット（ＣＯＲＥＳＥＴ）又はサーチ空間（Ｓｅａｒｃｈ  Ｓｐａｃｅ）である。
【００５８】
好ましくは、前記第一リソースが公衆サーチ空間であってもよく、さらにユーザー固有のサーチ空間であってもよい。
【００５９】
好ましくは、前記第一構成情報に示される各タイムスロットにおける時間領域位置は第一リソースの時間領域開始位置であってもよい。
【００６０】
好ましくは、ネットワーク装置が前記第一構成情報により各タイムスロット内において前記端末装置のために同一な時間領域位置を構成でき、さらに前記第一構成情報により各タイムスロット内おいて前記端末装置のために異なる時間領域位置を構成できる。
【００６１】
好ましくは、前記第一構成情報が第一インジケータを含み、前記第一インジケータが、前記各タイムスロット内の前記第一リソースの数量Ｎを示すことに用いられ、Ｎ≧１とする。
【００６２】
ネットワーク装置が第一インジケータにより少なくとも１つのタイムスロットにおける各タイムスロット内の第一リソースの時間領域位置を示し、第一リソースの数量が一定である時、各制御リソースセットのタイムスロット内における位置が予め構成され、たとえば、既にプロトコルにより規定されたと理解すべきである。
【００６３】
たとえば、図３に示されるように、ネットワーク装置が第一インジケータにより１つのタイムスロット内の第一リソース（制御リソースセット又はサーチ空間）の数量を示し、第一リソースのデータが一定である時、各第一リソースのタイムスロット内における位置が予め構成されている。
【００６４】
具体的に、図３に示されるように、第一インジケータが２ｂｉｔのリソースを含んでもよく、それぞれ、
第一インジケータ＝００である時、各タイムスロットが１つの第一リソースを含み、且つ前記１つの第一リソース開始符号がタイムスロットの０番目の符号に位置することを表すことと、
第一インジケータ＝０１である時、各タイムスロットが２つの第一リソースを含み、且つ前記２つの第一リソース開始符号がそれぞれタイムスロットの０番目の符号和３番目の符号に位置することを表すことと、
第一インジケータ＝１０である時、各タイムスロットが３つの第一リソースを含み、且つ前記３つの第一リソースの開始符号がそれぞれタイムスロットの０番目、２番目及び４番目の符号に位置することを表すことと、
第一インジケータ＝１１である時、各タイムスロットが４つの第一リソースを含み、且つ前記４つの第一リソースの開始符号がそれぞれタイムスロットの０番目、２番目、４番目及び６番目の符号に位置することを表すことと、を示すことに用いられる。
【００６５】
さらに、図３では、第一インジケータに示される第一リソースの具体的な数量は単に例示であり、本願はそれを制限しないと理解すべきである。
【００６６】
さらに、図３では、予め構成された各制御リソースセットのタイムスロット内における開始符号位置が単に示例であり、本願はそれを制限しないと理解すべきである。
【００６７】
好ましくは、前記第一構成情報はさらに第二インジケータを含み、前記第二インジケータが、前記各タイムスロット内のＮ個の前記第一リソースの時間領域位置を示すことに用いられる。
【００６８】
ネットワーク装置が第二インジケータに基づいて各タイムスロット内の第一リソースの時間領域位置を構成する時、各タイムスロット内の第一リソースの数量を予め了解する必要があると理解すべきである。
【００６９】
好ましくは、前記第一構成情報が第一インジケータ及び第二インジケータを含み、ネットワーク装置が第一インジケータにより各タイムスロット内の第一リソースの数量を示し、第二インジケータにより各タイムスロット内の第一リソースの時間領域位置を示す。
【００７０】
たとえば、図４に示されるように、ネットワーク装置が第一インジケータにより１つのタイムスロットに含まれる第一リソース（制御リソースセット又はサーチ空間）の数量を示し、ある数量に対して、第二インジケータにより第一リソースのタイムスロットにおける位置を示す。
【００７１】
具体的には、図４に示されるように、第一インジケータ＝０１、第一インジケータは各タイムスロットが２つの第一リソースを含むことを示し、第二インジケータは２ｂｉｔのリソースを含み、それぞれ、
第二インジケータ＝００、第一構成情報＝０１００であることは、２つの第一リソースの開始符号がそれぞれタイムスロットの０番目及び３番目の符号に位置することを表すことと、
第二インジケータ＝０１、第一構成情報＝０１０１であることは、２つの第一リソースの開始符号がそれぞれタイムスロットの１番目及び４番目の符号に位置することを表すことと、
第二インジケータ＝１０、第一構成情報＝０１１０であることは、２つの第一リソースの開始符号がそれぞれタイムスロットの２番目及び５番目の符号に位置することを表すことと、
第二インジケータ＝１１、第一構成情報＝０１１１であることは、２つの第一リソースの開始符号がそれぞれタイムスロットの３番目及び６番目の符号に位置することを表すことと、を示す。
【００７２】
さらに、図４では、第一インジケータに示される第一リソースの数量は単に例示であり、本願はそれを制限しないと理解すべきである。
【００７３】
さらに、図４では、第二インジケータに示される第一リソースの開始符号位置は単に例示であり、本願はそれを制限しないと理解すべきである。
【００７４】
好ましくは、前記第一構成情報が第三インジケータを含み、前記第三インジケータが、前記各タイムスロット内のすべての第一リソースの時間領域位置セットを示すことに用いられる。
【００７５】
たとえば、図５に示されるように、ネットワーク装置が第三インジケータにより第一リソース（制御リソースセット又はサーチ空間）のタイムスロットにおける位置を示し、この例示では、第三インジケータが３つのｂｉｔリソースを含み、それぞれ、
第三インジケータ＝０００であることは、各タイムスロットが１つの第一リソースを含み、且つ第一リソース開始符号がタイムスロットの０番目の符号に位置することを表すことと、
第三インジケータ＝００１であることは、各タイムスロットが１つの第一リソースを含み、且つ第一リソース開始符号はタイムスロットの３番目の符号に位置することを表すことと、
第三インジケータ＝０１０であることは、各タイムスロットが２つの第一リソースを含み、２つの第一リソースの開始符号がそれぞれタイムスロットの０番目及び３番目の符号に位置することを表すことと、
第三インジケータ＝０１１であることは、各タイムスロットが２つの第一リソースを含み、２つの第一リソースの開始符号がそれぞれタイムスロットの２番目及び５番目の符号に位置することを表すことと、
第三インジケータ＝１００であることは、各タイムスロットが３つの第一リソースを含み、３つの第一リソースの開始符号がそれぞれタイムスロットの０番目、２番目及び４番目の符号に位置することを表すことと、
第三インジケータ＝１０１であることは、各タイムスロットが３つの第一リソースを含み、３つの第一リソースの開始符号がそれぞれタイムスロットの１番目、３番目及び５番目の符号に位置することを表すことと、
第三インジケータ＝１１０であることは、各タイムスロットが４つの第一リソースを含み、４つの第一リソースの開始符号がそれぞれタイムスロットの０番目、２番目、４番目及び６番目の符号に位置することを表すことと、
第三インジケータ＝１１１であることは、各タイムスロットが７つの第一リソースを含み、７つの第一リソースの開始符号がタイムスロット内のいずれか１つの符号から開始できることと、を示す。
【００７６】
さらに、図５では、第三インジケータに示される第一リソースの数量及び対応する数量の開始符号位置が単に例示であり、本願はそれを制限しないと理解すべきである。
【００７７】
好ましくは、前記第一構成情報が無線リソース制御（ＲＲＣ：Ｒａｄｉｏ  Ｒｅｓｏｕｒｃｅ  Ｃｏｎｔｒｏｌ）シグナリング、システム情報、下り制御情報（ＤＣＩ：Ｄｏｗｎｌｉｎｋ  Ｃｏｎｔｒｏｌ  Ｉｎｆｏｒｍａｔｉｏｎ）及び媒体アクセス制御の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）のうちのいずれか１つの情報。
【００７８】
好ましくは、複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含む。
【００７９】
たとえば、図６に示されるように、時間領域ユニット０がタイムスロット０、タイムスロット１及びタイムスロット２を含み、タイムスロット０内の第一リソース（制御リソースセット又はサーチ空間）の開始符号がタイムスロットの３番目の符号に位置し、タイムスロット１内の第一リソースの開始符号がタイムスロットの２番目の符号に位置し、タイムスロット２内の第一リソースの開始符号がタイムスロットの４番目の符号に位置し、時間領域ユニット１がタイムスロット５、タイムスロット６及びタイムスロット７を含み、タイムスロット５内の第一リソースの開始符号がタイムスロットの３番目の符号に位置し、タイムスロット６内の第一リソースの開始符号がタイムスロットの２番目の符号に位置し、タイムスロット７内の第一リソースの開始符号がタイムスロットの４番目の符号に位置する。
【００８０】
好ましくは、前記方法２００はさらに、
前記ネットワーク装置が前記端末装置に第二構成情報を送信し、前記第二構成情報が、前記複数の時間領域ユニットにおける各時間領域ユニットの時間領域位置を示すことを含む。
【００８１】
たとえば、図６に示されるように、第二構成情報は時間領域ユニット０の時間領域位置がタイムスロット０〜タイムスロット２であり、時間領域ユニット１の時間領域位置がタイムスロット５〜タイムスロット７であることを示すことができる。
【００８２】
図６における第二構成情報に示される時間領域ユニットの時間領域位置は単に例示であり、本願はそれを制限しないと理解すべきである。
【００８３】
好ましくは、前記第二構成情報がＲＲＣシグナリング、システム情報、ＤＣＩ及びＭＡＣ  ＣＥのうちのいずれか１つの情報である。
【００８４】
好ましくは、前記方法２００はさらに、
前記ネットワーク装置が前記端末装置に第三構成情報を送信し、前記第三構成情報が、前記第一リソースの時間領域長を示すことに用いられることを含む。
【００８５】
第一リソースの開始符号位置及び第一リソースの時間領域長を取得すれば、第一リソースのすべての時間領域における情報を決定できると理解すべきである。
【００８６】
好ましくは、前記第三構成情報がＲＲＣシグナリング、システム情報、ＤＣＩ及びＭＡＣ  ＣＥのうちのいずれか１つの情報である。
【００８７】
２２０において、前記ネットワーク装置が前記第一リソースにおいて前記端末装置に前記物理下り制御チャネルを送信する。
【００８８】
従って、本願の実施例の無線通信の方法において、ネットワーク装置がタイムスロット内にＰＤＣＣＨを伝送するための第一リソースの時間領域位置を構成し、且つ第一リソースにおいて端末装置にＰＤＣＣＨを送信し、それにより、端末装置が第一リソースにおいてＰＤＣＣＨを正確に受信でき、さらに、異なるＰＤＣＣＨ伝送遅延要件を満たす。
【００８９】
さらに、ネットワーク装置が第一構成情報により第一リソースのタイムスロット内における時間領域位置を示すことができ、第二構成情報により複数の時間領域ユニットの位置情報を示すことができ、さらに第三構成情報により第一リソースの時間領域長を示すことができる。
【００９０】
図７は本願の実施例に係わる無線通信の方法３００の例示的なフローチャートである。図７に示されるように、前記方法３００が端末装置で実行されてもよく、前記端末装置が図１に示される端末装置であってもよく、前記方法３００におけるネットワーク装置が図１に示されるネットワーク装置であってもよく、前記方法３００は以下を含む。
【００９１】
３１０において、端末装置はネットワーク装置によって送信された第一構成情報を受信し、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられる。
【００９２】
好ましくは、前記第一リソースが、物理下り制御チャネルを伝送する制御リソースセット又はサーチ空間である。
【００９３】
好ましくは、前記第一構成情報が第一インジケータを含み、前記第一インジケータが、前記各タイムスロット内の前記第一リソースの数量Ｎを示すことに用いられ、Ｎ≧１とする。
【００９４】
好ましくは、前記第一構成情報はさらに第二インジケータを含み、前記第二インジケータが、前記各タイムスロット内のＮ個の前記第一リソースの時間領域位置を示すことに用いられる。
【００９５】
好ましくは、前記第一構成情報が第三インジケータを含み、前記第三インジケータが、前記各タイムスロット内のすべての第一リソースの時間領域位置セットを示すことに用いられる。
【００９６】
好ましくは、前記第一構成情報がＲＲＣシグナリング、システム情報、ＤＣＩ及びＭＡＣ  ＣＥのうちのいずれか１つの情報である。
【００９７】
好ましくは、複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含む。
【００９８】
好ましくは、前記方法３００はさらに、
前記端末装置は前記ネットワーク装置により送信された第二構成情報を受信し、前記第二構成情報が、前記複数の時間領域ユニットにおける各時間領域ユニットの時間領域位置を示すことと、
前記端末装置は前記第一構成情報及び／又は前記第二構成情報に基づき、前記第一リソースの時間領域位置を決定することを含む。
【００９９】
好ましくは、前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報である。
【０１００】
好ましくは、前記方法３００はさらに、
前記端末装置は前記ネットワーク装置により送信された第三構成情報を受信し、前記第三構成情報が、前記第一リソースの時間領域長を示すことに用いられることと、
前記端末装置は前記第三構成情報、及び前記第一構成情報及び／又は前記第二構成情報に基づき、前記第一リソースの時間領域位置を決定することを含む。
【０１０１】
好ましくは、前記第三構成情報がＲＲＣシグナリング、システム情報、ＤＣＩ及びＭＡＣ  ＣＥのうちのいずれか１つの情報である。
【０１０２】
３２０において、前記端末装置は前記第一リソースにおいて前記ネットワーク装置により伝送された前記物理下り制御チャネルをモニタリングする。
【０１０３】
無線通信の方法３００におけるステップは無線通信の方法２００における対応するステップを参照しながら説明でき、簡単にするために、ここで省略すると理解すべきである。
【０１０４】
従って、本願の実施例の無線通信の方法において、ネットワーク装置がタイムスロット内にＰＤＣＣＨを伝送するための第一リソースの時間領域位置を構成し、且つ第一リソースにおいて端末装置にＰＤＣＣＨを送信し、それにより、端末装置が第一リソースにおいてＰＤＣＣＨを正確に受信でき、さらに、異なるＰＤＣＣＨ伝送遅延要件を満たす。
【０１０５】
さらに、ネットワーク装置が第一構成情報により第一リソースのタイムスロット内における時間領域位置を示すことができ、第二構成情報により複数の時間領域ユニットの位置情報を示すことができ、さらに第三構成情報により第一リソースの時間領域長を示すことができる。
【０１０６】
図８は本願の実施例に係わるネットワーク装置４００の例示的なブロック図である。図８に示されるように、前記ネットワーク装置４００は、
端末装置に第一構成情報を送信するように構成され、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられる送信ユニット４１０を含み、
前記送信ユニット４１０は、さらに前記第一リソースにおいて前記端末装置に前記物理下り制御チャネルを送信するように構成される。
【０１０７】
好ましくは、前記第一構成情報が第一インジケータを含み、前記第一インジケータが、前記各タイムスロット内の前記第一リソースの数量Ｎを示すことに用いられ、Ｎ≧１とする。
【０１０８】
好ましくは、前記第一構成情報はさらに第二インジケータを含み、前記第二インジケータが、前記各タイムスロット内のＮ個の前記第一リソースの時間領域位置を示すことに用いられる。
【０１０９】
好ましくは、前記第一構成情報が第三インジケータを含み、前記第三インジケータが、前記各タイムスロット内のすべての第一リソースの時間領域位置セットを示すことに用いられる。
【０１１０】
好ましくは、複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含む。
【０１１１】
好ましくは、前記送信ユニット４１０は、さらに前記端末装置に第二構成情報を送信するように構成され、前記第二構成情報が、前記複数の時間領域ユニットにおける各時間領域ユニットの時間領域位置を示す。
【０１１２】
好ましくは、前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報である。
【０１１３】
好ましくは、前記第一構成情報がＲＲＣシグナリング、システム情報、ＤＣＩ及びＭＡＣ  ＣＥのうちのいずれか１つの情報である。
【０１１４】
好ましくは、前記送信ユニット４１０は、さらに前記端末装置に第三構成情報を送信するように構成され、前記第三構成情報が、前記第一リソースの時間領域長を示すことに用いられる。
【０１１５】
好ましくは、前記第三構成情報がＲＲＣシグナリング、システム情報、ＤＣＩ及びＭＡＣ  ＣＥのうちのいずれか１つの情報である。
【０１１６】
好ましくは、前記第一リソースが、物理下り制御チャネルを伝送する制御リソースセット又はサーチ空間である。
【０１１７】
本願の実施例に係わるネットワーク装置４００が本願の方法の実施例におけるネットワーク装置に対応でき、且つネットワーク装置４００における各ユニットの上記のもの及び他の操作及び／又は機能がそれぞれ図２に示される方法２００におけるネットワーク装置の対応するプロセスを実現するものであり、簡単にするために、ここで省略すると理解すべきである。
【０１１８】
図９は本願の実施例に係わる端末装置５００の例示的なブロック図である。図９に示されるように、前記端末装置５００は、
ネットワーク装置によって送信された第一構成情報を受信するように構成され、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられる受信ユニット５１０を含み、
前記受信ユニット５１０は、さらに前記第一リソースにおいて前記ネットワーク装置により伝送された前記物理下り制御チャネルをモニタリングするように構成される。
【０１１９】
好ましくは、前記第一構成情報が第一インジケータを含み、前記第一インジケータが、前記各タイムスロット内の前記第一リソースの数量Ｎを示すことに用いられ、Ｎ≧１とする。
【０１２０】
好ましくは、前記第一構成情報はさらに第二インジケータを含み、前記第二インジケータが、前記各タイムスロット内のＮ個の前記第一リソースの時間領域位置を示すことに用いられる。
【０１２１】
好ましくは、前記第一構成情報が第三インジケータを含み、前記第三インジケータが、前記各タイムスロット内のすべての第一リソースの時間領域位置セットを示すことに用いられる。
【０１２２】
好ましくは、複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含む。
【０１２３】
好ましくは、前記端末装置はさらに、
さらに前記ネットワーク装置により送信された第二構成情報を受信するように構成、前記第二構成情報が、前記複数の時間領域ユニットにおける各時間領域ユニットの時間領域位置を示す前記受信ユニット５１０と、
前記第一構成情報及び／又は前記第二構成情報に基づき、前記第一リソースの時間領域位置を決定するように構成される処理ユニット５２０とを含む。
【０１２４】
好ましくは、前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報である。
【０１２５】
好ましくは、前記第一構成情報がＲＲＣシグナリング、システム情報、ＤＣＩ及びＭＡＣ  ＣＥのうちのいずれか１つの情報である。
【０１２６】
好ましくは、前記端末装置はさらに、
さらに前記ネットワーク装置により送信された第三構成情報を受信するように構成され、前記第三構成情報が、前記第一リソースの時間領域長を示すことに用いられる前記受信ユニット５１０と、
前記第三構成情報、及び前記第一構成情報及び／又は前記第二構成情報に基づき、前記第一リソースの時間領域位置を決定するように構成される処理ユニット５２０とを含む。
【０１２７】
好ましくは、前記第三構成情報がＲＲＣシグナリング、システム情報、ＤＣＩ及びＭＡＣ  ＣＥのうちのいずれか１つの情報である。
【０１２８】
好ましくは、前記第一リソースが、物理下り制御チャネルを伝送する制御リソースセット又はサーチ空間である。
【０１２９】
本願の実施例に係わる端末装置５００が本願の方法の実施例における端末装置に対応でき、且つ端末装置５００における各ユニットの上記のもの及び他の操作及び／又は機能がそれぞれ図７に示される方法３００における端末装置の対応するプロセスを実現するものであり、簡単にするために、ここで省略すると理解すべきである。
【０１３０】
図１０は本願の実施例が提供した無線通信の装置６００の例示的なブロック図を示し、前記装置６００は、
プログラムを記憶し、前記プログラムがコードを含むように構成されるメモリ６１０と、
他の装置と通信するように構成される送受信機６２０と、
メモリ６１０におけるプログラムコードを実行するように構成されるプロセッサ６３０と、を含む。
【０１３１】
好ましくは、前記コードが実行される時、前記プロセッサ６３０は図２における方法２００ではネットワーク装置が実行した各操作を実現でき、簡単にするために、ここで省略する。この時、前記装置６００がアクセスネットワーク装置であってもよく、さらにコアネットワーク装置であってもよい。送受信機６２０はプロセッサ６３０に駆動されて具体的な信号の送受信を実行するように構成される。
【０１３２】
好ましくは、前記コードが実行される時、前記プロセッサ６３０はさらに図７における方法３００では端末装置が実行した各个操作を実現でき、簡単にするために、ここで省略する。この時、前記装置６００が端末装置、たとえば、携帯電話であってもよい。
【０１３３】
本発明の実施例において、前記プロセッサ６３０は中央処理装置（ＣＰＵ：Ｃｅｎｔｒａｌ  Ｐｒｏｃｅｓｓｉｎｇ  Ｕｎｉｔ）であってもよく、前記プロセッサ６３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は前記プロセッサは更にいかなる通常のプロセッサ等であってもよい。
【０１３４】
前記メモリ６１０は読み出し専用メモリ及びランダムアクセスメモリを含んでもよく、且つプロセッサ６３０に命令及びデータを提供する。メモリ６１０の一部は更に不揮発性ランダムアクセスメモリを含んでもよい。例えば、メモリ６１０に更に装置タイプ情報が記憶されてもよい。
【０１３５】
送受信機６２０は信号の送受信機能、たとえば又はアップコンバージョン及びダウンコンバージョン機能と呼ばれる周波数変調及び復調機能を実現するように構成される。
【０１３６】
実現過程において、上記方法の少なくとも１つのステップはプロセッサ６３０におけるハードウェアの集積論理回路で完了してもよい。又は前記集積論理回路はハードウェア形式の命令に駆動されて前記少なくとも１つのステップを完了してよい。従って、無線通信の装置６００はチップ又はチップセットであってもよい。本願の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体がメモリに位置し、プロセッサ６３０がメモリにおける情報を読み取り、そのハードウェアと組み合わせて上記方法のステップを完了する。重複を避けるため、詳細な説明は省略する。
【０１３７】
図１１は本願の実施例に係わるシステムチップ７００の例示的な構造図である。図１１のシステムチップ７００が入力インタフェース７０１、出力インタフェース７０２、プロセッサ７０３及びメモリ７０４を含み、それらの間が内部通信接続線により接続され、前記プロセッサ７０３が前記メモリ７０４におけるコードを実行するように構成される。
【０１３８】
好ましくは、前記コードが実行される時、前記プロセッサ７０３が方法の実施例のネットワーク装置で実行される方法を実現する。簡単にするために、ここで省略する。
【０１３９】
好ましくは、前記コードが実行される時、前記プロセッサ７０３が方法の実施例の端末装置で実行される方法を実現する。簡単にするために、ここで省略する。
【０１４０】
当業者であれば、本明細書に開示される実施例を参照して説明した各例示的なユニット及びアルゴリズムステップは、電子ハードウェア、コンピュータソフトウェア又はそれらの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本発明の実施例の範囲を超えると見なされるべきではない。
【０１４１】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１４２】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４３】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１４４】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１４５】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は前記技術案の一部はソフトウェア製品の形式で具現されてもよく、前記コンピュータソフトウェア製品は、１台のコンピュータ装置（パーソナルコンピュータ、サーバ又はネットワーク機器等であってもよい）に本発明の各実施例における前記方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４６】
以上の説明は、本願の具体的な実施形態であって、本発明の保護範囲を制限するためのものではなく、当業者が本発明に開示される技術的範囲内に容易に想到し得る変更又は置換は、いずれも本発明の保護範囲内に含まれるべきである。従って、本願の保護範囲は特許請求の範囲に準じるべきである。
【図１】
2020534712.tif 000003
【図２】
2020534712.tif 000004
【図３】
2020534712.tif 000005
【図４】
2020534712.tif 000006
【図５】
2020534712.tif 000007
【図６】
2020534712.tif 000008
【図７】
2020534712.tif 000009
【図８】
2020534712.tif 000010
【図９】
2020534712.tif 000011
【図１０】
2020534712.tif 000012
【図１１】
2020534712.tif 000013
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
無線通信の方法であって、
ネットワーク装置によって送信された第一構成情報を受信し、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられることと、
前記第一リソースにおいて前記ネットワーク装置により伝送された前記物理下り制御チャネルをモニタリングすることとを含むことを特徴とする、前記無線通信の方法。
【請求項２】
前記第一構成情報が第三インジケータを含み、前記第三インジケータが、前記各タイムスロット内のすべての第一リソースの時間領域位置セットを示すことに用いられることを特徴とする
請求項１に記載の方法。
【請求項３】
複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含むことを特徴とする
請求項１又は２に記載の方法。
【請求項４】
前記方法はさらに、
前記ネットワーク装置により送信された第二構成情報を受信し、前記第二構成情報が、前記複数の時間領域ユニットにおける各時間領域ユニットの時間領域位置を示すことと、
前記第一構成情報及び／又は前記第二構成情報に基づき、前記第一リソースの時間領域位置を決定することとを含むことを特徴とする
請求項３に記載の方法。
【請求項５】
前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報であることを特徴とする
請求項４に記載の方法
【請求項６】
前記第一構成情報がＲＲＣシグナリング、システム情報、ＤＣＩ及びＭＡＣ  ＣＥのうちのいずれか１つの情報であることを特徴とする
請求項１〜５のいずれか１項に記載の方法。
【請求項７】
前記方法はさらに、
前記ネットワーク装置により送信された第三構成情報を受信し、前記第三構成情報が、前記第一リソースの時間領域長を示すことに用いられることと、
前記第三構成情報、及び前記第一構成情報及び／又は前記第二構成情報に基づき、前記第一リソースの時間領域位置を決定することとを含むことを特徴とする
請求項１〜６のいずれか１項に記載の方法。
【請求項８】
前記第三構成情報がＲＲＣシグナリング、システム情報、ＤＣＩ及びＭＡＣ  ＣＥのうちのいずれか１つの情報であることを特徴とする
請求項７に記載の方法。
【請求項９】
前記第一リソースが、物理下り制御チャネルを伝送する制御リソースセット又はサーチ空間であることを特徴とする
請求項１〜８のいずれか１項に記載の方法。
【請求項１０】
端末装置であって、
ネットワーク装置によって送信された第一構成情報を受信するように構成され、前記第一構成情報が、少なくとも１つのタイムスロットにおける各タイムスロット内の第一リソースの時間領域位置を示し、前記第一リソースが物理下り制御チャネル（ＰＤＣＣＨ）を伝送することに用いられる受信ユニットを含み、
前記受信ユニットが、さらに前記第一リソースにおいて前記ネットワーク装置により伝送された前記物理下り制御チャネルをモニタリングするように構成されることを特徴とする、前記端末装置。
【請求項１１】
前記第一構成情報が第三インジケータを含み、前記第三インジケータが、前記各タイムスロット内のすべての第一リソースの時間領域位置セットを示すことに用いられることを特徴とする
請求項１０に記載の端末装置
【請求項１２】
複数の時間領域ユニットにおける異なる時間領域ユニット内の前記第一リソースの時間領域位置が同一であり、前記複数の時間領域ユニットにおける各時間領域ユニットが前記少なくとも１つのタイムスロットを含むことを特徴とする
請求項１０又は１１に記載の端末装置
【請求項１３】
前記端末装置はさらに、
さらに前記ネットワーク装置により送信された第二構成情報を受信するように構成され、前記第二構成情報が、前記複数の時間領域ユニットにおける各時間領域ユニットの時間領域位置を示す前記受信ユニットと、
前記第一構成情報及び／又は前記第二構成情報に基づき、前記第一リソースの時間領域位置を決定するように構成される処理ユニットとを含むことを特徴とする
請求項１２に記載の端末装置
【請求項１４】
前記第二構成情報が無線リソース制御（ＲＲＣ）シグナリング、システム情報、下り制御情報（ＤＣＩ）及び媒体アクセス制御の制御要素（ＭＡＣ  ＣＥ）のうちのいずれか１つの情報であることを特徴とする
請求項１３に記載の端末装置。
【請求項１５】
前記第一構成情報がＲＲＣシグナリング、システム情報、ＤＣＩ及びＭＡＣ  ＣＥのうちのいずれか１つの情報であることを特徴とする
請求項１０〜１４のいずれか１項に記載の端末装置。
【請求項１６】
前記端末装置はさらに、
さらに前記ネットワーク装置により送信された第三構成情報を受信するように構成され、前記第三構成情報が、前記第一リソースの時間領域長を示すことに用いられる前記受信ユニットと、
前記第三構成情報、及び前記第一構成情報及び／又は前記第二構成情報に基づき、前記第一リソースの時間領域位置を決定するように構成される処理ユニットとを含むことを特徴とする
請求項１０〜１５のいずれか１項に記載の端末装置。
【請求項１７】
前記第三構成情報がＲＲＣシグナリング、システム情報、ＤＣＩ及びＭＡＣ  ＣＥのうちのいずれか１つの情報であることを特徴とする
請求項１６に記載の端末装置。
【請求項１８】
前記第一リソースが、物理下り制御チャネルを伝送する制御リソースセット又はサーチ空間であることを特徴とする
請求項１０〜１７のいずれか１項に記載の端末装置。
【国際調査報告】
2020534712.tif 000014
2020534712.tif 000015
2020534712.tif 000016
2020534712.tif 000017